(57)【特許請求の範囲】
【請求項１】
小型の薬瓶および大型の薬瓶の薬瓶とともに使用するための液剤移送デバイスであって、
前記薬瓶は、薬瓶ボトルと、薬瓶内部と、薬瓶ストッパと、最上部薬瓶面と、薬瓶閉鎖部と、を備え、
前記小型の薬瓶は、外径Ｄ１を有する薬瓶閉鎖部を備え、
前記大型の薬瓶は、外径Ｄ２を有する薬瓶閉鎖部を備え、
前記Ｄ１および前記Ｄ２は、Ｄ２＞Ｄ１を満たし、
差分Ｄ２−Ｄ１は、４ｍｍ以上、７ｍｍ以下の範囲にあり、
前記液剤移送デバイスは、長手方向の薬瓶アダプタ軸線と、前記薬瓶閉鎖部に入れ子式に固定するためのスカートと、を有する汎用薬瓶アダプタを備え、
前記スカートは、大型の薬瓶の少なくとも頂部を、前記スカートの中に入れ子式にぴったりと受け入れるための薬瓶空洞を形成するために、
前記長手方向の薬瓶アダプタ軸線に交差する頂壁と、
離間して軸線方向に向けられた第１の対の撓み部材支持部と、
前記軸線方向に向けられた第１の対の撓み部材支持部に対向し、離間して軸線方向に向けられた第２の対の撓み部材支持部と
を備え、
前記撓み部材支持部の各々は、前記頂壁に隣接する基端と、前記頂壁から離れた先端と、を有し、
前記第１の対の撓み部材支持部は、該撓み部材支持部に対応する先端同士の間を延在する第１の横材を備え、
前記第１の横材は、前記長手方向の薬瓶アダプタ軸線に対して弾性的に撓むように前記第１の横材に取り付けられた、軸線方向に向けられた第１の撓み部材と一体的に形成され、
前記第１の撓み部材は、前記第１の横材から離れた第１の撓み部材自由端を有し、
前記第１の撓み部材は、軸線方向に向けられるとともに、前記第１の横材と前記第１の撓み部材自由端との間で前記長手方向の薬瓶アダプタ軸線に略平行に延在し、
前記第１の撓み部材は、さらに、半径方向内向きの第１の薬瓶把持部を有し、
前記第２の対の撓み部材支持部は、該撓み部材支持部に対応する先端同士の間を延在する第２の横材を備え、
前記第２の横材は、前記長手方向の薬瓶アダプタ軸線に対して弾性的に撓むように前記第２の横材に取り付けられた、軸線方向に向けられた第２の撓み部材と一体的に形成され、
前記第２の撓み部材は、前記第２の横材から離れた第２の撓み部材自由端を有し、
前記第２の撓み部材は、軸線方向に向けられるとともに、前記第２の横材と前記第２の撓み部材自由端との間で前記長手方向の薬瓶アダプタ軸線に略平行に延在し、
前記第２の撓み部材は、さらに、半径方向内向きの第２の薬瓶把持部を有し、
前記第１の撓み部材と前記第２の撓み部材とは、前記第１の薬瓶把持部および前記第２の薬瓶把持部が該第１の薬瓶把持部と該第２の薬瓶把持部との間にＳ＜Ｄ１を満たす間隔Ｓを形成し、前記汎用薬瓶アダプタを前記薬瓶に入れ子式に固定するときに前記第１の薬瓶把持部および前記第２の薬瓶把持部が薬瓶閉鎖部の下に位置するように、対向し、
前記第１の撓み部材および前記第２の撓み部材は、前記汎用薬瓶アダプタを前記大型の薬瓶に入れ子式に固定するときには、前記汎用薬瓶アダプタを前記小型の薬瓶に入れ子式に固定する場合と比べて、前記第１の横材および前記第２の横材のところで、前記長手方向の薬瓶アダプタ軸線に対して、より大きく、対応して外向きに弾性的に撓まされる
液剤移送デバイス。
【請求項２】
請求項１に記載のデバイスであって、
前記スカートは、単一の連続的な環状支持部を備え、
前記環状支持部は、前記第１の横材と、前記第２の横材と、前記第１の横材と前記第２の横材との間を延在する第３の横材と、前記第１の横材と前記第２の横材との間を延在するとともに前記第３の横材に対向する第４の横材と、を備え、
前記第３の横材は、前記長手方向の薬瓶アダプタ軸線に対して弾性的に撓むように前記第３の横材に取り付けられた第３の撓み部材と一体的に形成され、
前記第３の撓み部材は、前記第３の横材から離れた第３の撓み部材自由端を有し、
前記第３の撓み部材は、軸線方向に向けられるとともに、前記第３の横材と前記第３の撓み部材自由端との間で前記長手方向の薬瓶アダプタ軸線に略平行に延在し、
前記第３の撓み部材は、さらに、半径方向内向きの第３の薬瓶把持部を有し、
前記第４の横材は、前記長手方向の薬瓶アダプタ軸線に対して弾性的に撓むように前記第４の横材に取り付けられた第４の撓み部材と一体的に形成され、
前記第４の撓み部材は、前記第４の横材から離れた第４の撓み部材自由端を有し、
前記第４の撓み部材は、軸線方向に向けられるとともに、前記第４の横材と前記第４の撓み部材自由端との間で前記長手方向の薬瓶アダプタ軸線に略平行に延在し、
前記第４の撓み部材は、さらに、半径方向内向きの第４の薬瓶把持部を有し、
前記第３の撓み部材と前記第４の撓み部材とは、前記第３の薬瓶把持部と前記第４の薬瓶把持部との間に前記間隔Ｓが形成され、前記汎用薬瓶アダプタを前記薬瓶に入れ子式に固定するときに前記第３の薬瓶把持部および前記第４の薬瓶把持部が前記薬瓶閉鎖部の下に位置するように、対向する
デバイス。
【請求項３】
請求項１または請求項２に記載のデバイスであって、
前記頂壁は、環状の中央部分と、前記環状の中央部分から前記撓み部材支持部の各々までの半径方向のストラットと、によって構成される
デバイス。
【請求項４】
請求項１ないし請求項３のいずれか一項に記載のデバイスであって、
前記第１の撓み部材および前記第２の撓み部材は、
前記第１の撓み部材および前記第２の撓み部材が、前記汎用薬瓶アダプタを小型の薬瓶に入れ子式に固定するときは、前記長手方向の薬瓶アダプタ軸線に略平行となり、前記汎用薬瓶アダプタを大型の薬瓶に入れ子式に固定するときは、前記長手方向の薬瓶アダプタ軸線に対して外向きに撓むように、
前記汎用薬瓶アダプタが薬瓶に入れ子式に固定される前には、前記長手方向の薬瓶アダプタ軸線に略平行になるように配置される
デバイス。
【請求項５】
請求項１ないし請求項４のいずれか一項に記載のデバイスであって、
前記頂壁は、
一体的なアクセスポートと、
前記汎用薬瓶アダプタを前記薬瓶に入れ子式に固定するときに薬瓶ストッパを穿刺して前記薬瓶内部と流れ連通することを可能にするための、前記一体的なアクセスポートと流れ連通する一体的な穿刺部材と
を備えるデバイス。
【請求項６】
請求項１ないし請求項４のいずれか一項に記載のデバイスであって、
前記汎用薬瓶アダプタは、事前に取り付けられた初期の無傷の薬瓶に入れ子式に固定されることができ、
前記頂壁は、前記事前に取り付けられた初期の無傷の薬瓶の前記最上部薬瓶面の上に位置する、軸線方向に向けられた管状のステムを備え、
前記液剤移送デバイスは、さらに、前記ステムに配置された穿刺先端を有する分離した液体移送部材であって、前記薬瓶内部との流れ連通を可能にするために、前記液体移送部材を前記薬瓶の方へ下方に押したときに前記薬瓶ストッパを穿刺するための液体移送部材を備える
デバイス。
【請求項７】
請求項６に記載のデバイスであって、
前記事前に取り付けられた無傷の薬瓶は、前記第１の撓み部材および前記第２の撓み部材を前記長手方向の薬瓶アダプタ軸線に対して外向きに撓ませるための薬瓶解放道具を使用する場合に、前記汎用薬瓶アダプタから無傷で取り外すことができる
デバイス。
【請求項８】
請求項１ないし請求項７のいずれか一項に記載のデバイスであって、
前記Ｄ１は、１３ｍｍ以上、かつ、１４ｍｍ以下であり、
前記Ｄ２は、２０ｍｍ以上、かつ、２１ｍｍ以下である
デバイス。
【発明の詳細な説明】
【技術分野】
【０００１】
本発明は液剤移送デバイスに関する。
【背景技術】
【０００２】
小型の薬瓶および大型の薬瓶に入れ子式に取り付けるための汎用薬瓶アダプタを備える液剤移送デバイスは、以下の２つのタイプの内の１つに分類することができる。
【０００３】
１つ目は、小型の薬瓶も大型の薬瓶も同様に入れ子式に固定するような形状および寸法を有する汎用薬瓶アダプタである。例示的な従来技術の文献としては、とりわけ、Ｐｏｌｉらに付与された米国特許第５，３３４，１７９号、Ｓａｓｓｏに付与された米国特許第６，６５６，４３３号、Ｌｅｉｎｓｉｎｇに付与された米国特許第６，８７５，２０５号、および、Ｆａｎｇｒｏｗに付与された米国特許第８，４６９，９３９号がある。
【０００４】
２つ目は、大型の薬瓶のみに入れ子式に固定するような形状および寸法を有する汎用薬瓶アダプタであり、その中に、小型の薬瓶のみに入れ子式に固定するような形状および寸法を有するバイアル接続アダプタが挿入して設けられている。Ｐｅｔｅｒｓｏｎらに付与された米国特許第５，８９３，３９７号は、液剤移送デバイス（２４）とバイアル接続アダプタ（２６）とを有する液体移送装置（２０）を備える投薬バイアル／注射器間の液体移送装置を開示している。
【０００５】
液剤移送デバイスには、輸液が入っている輸液バッグの注入ポートに取り付けることを意図するものがある。輸液バッグの供給者が異なれば注入ポートのサイズが異なる。Ａａｌｔｏらに付与された米国特許第４，６０７，６７１号は、注入部位（３４）に封止して取り付けるためのプラスチックハウジング（５２）を備える復元デバイス（１０）を開示している。プラスチックハウジング（３４）は堅い管状の両頭針（５４）を備える。
【先行技術文献】
【特許文献】
【０００６】
【特許文献１】米国特許第５，３３４，１７９号
【特許文献２】米国特許第６，６５６，４３３号
【特許文献３】米国特許第６，８７５，２０５号
【特許文献４】米国特許第８，４６９，９３９号
【特許文献５】米国特許第５，８９３，３９７号
【特許文献６】米国特許第４，６０７，６７１号
【発明の概要】
【発明が解決しようとする課題】
【０００７】
混合、復元および投与のための改良された汎用薬瓶アダプタ、ならびに、改良された注入ポートコネクタを有する液剤移送デバイスが求められる。
【課題を解決するための手段】
【０００８】
本発明の一態様は、いわゆる小型の薬瓶およびいわゆる大型の薬瓶を入れ子式に固定するための汎用薬瓶アダプタを有する液剤移送デバイスを対象とする。大型の薬瓶は、小型の薬瓶と同じ形状であるが、寸法は比例的に大きい。特に、大型の薬瓶は、相対する小型の薬瓶より大きな直径の薬瓶閉鎖部および薬瓶ネックを有する。本明細書での説明のために、いわゆる小型の薬瓶は、広く市販されている１３ｍｍの薬瓶とし、いわゆる大型の薬瓶は、広く市販されている２０ｍｍの薬瓶としている。本発明は、より大容量の液体が入る、より大きないわゆる小型の薬瓶、および、より大きないわゆる大型の薬瓶、例えば、それぞれ直径２８ｍｍの薬瓶閉鎖部、および、直径３２ｍｍの薬瓶閉鎖部に同様に適用することができる。
【０００９】
本発明による液剤移送デバイスのいくつかの好ましい実施形態は、少なくとも同じ１対の概ね対向する直立した撓み部材を用いる汎用薬瓶アダプタを備え、汎用薬瓶アダプタの材料である、例えばポリカーボネートなどのプラスチック材料が本質的に撓みやすいことによって、小型の薬瓶および大型の薬瓶を固定する。少なくとも１対の撓み部材は、汎用薬瓶アダプタを薬瓶に入れ子式に固定するときに弾性的に撓むように、薬瓶ヘッドではなく薬瓶基部の方にある横材に取り付けられる。撓み部材は、各横材の反対側に、半径方向内向きの薬瓶把持部をそれぞれ備える撓み部材自由端を有する。半径方向内向きの薬瓶把持部は、汎用薬瓶アダプタを薬瓶に入れ子式に固定するときに、薬瓶ヘッドの下にある。一般的に言うと、汎用薬瓶アダプタを小型の薬瓶に入れ子式に固定するのに比べて、汎用薬瓶アダプタを大型の薬瓶に入れ子式に固定するときには、撓み部材は、それらの横材位置で長手方向の薬瓶アダプタ軸線に対して、より大きく、対応して外向きに弾性的に撓まされる。
【００１０】
本発明による液剤移送デバイスの他の好ましい実施形態は、小型の薬瓶を入れ子式に固定するための一組の小さい撓み部材と、大型の薬瓶を入れ子式に固定するための、小さい撓み部材の組を取り囲む一組の大きい撓み部材と、を用いる汎用薬瓶アダプタを備え、大型の薬瓶を入れ子式に固定するとき、大型の薬瓶が小さい撓み部材の組の下にある。小型の薬瓶に入れ子式に固定するとき、小さい撓み部材の組が、大きい撓み部材の組から干渉なく、長手方向の薬瓶アダプタ軸線に対して自由に外向きに撓むように、大きい撓み部材の組が配置されるのが好ましい。
【００１１】
様々な液剤移送目的に対して、広い範囲の液剤移送デバイスを、本発明の汎用薬瓶アダプタとともに形成することができる。汎用薬瓶アダプタは、オプションとして、通気型および非通気型に形成することができる。いくつかの液剤移送デバイスは、一体的なアクセスポートおよび一体的な穿刺部材を備えることができ、薬瓶を入れ子式に固定するときに薬瓶ストッパを穿刺して、その内部と流体連通することを可能にする。そのような液剤移送デバイスには、特に、雌ルアーコネクタを有する雌薬瓶アダプタ、雄ルアーコネクタを有する雄薬瓶アダプタなどが含まれる。
【００１２】
他の液剤移送デバイスは、事前に取り付けられた無傷の、すなわち、穿刺されていない薬瓶を備える、いわゆる、すぐに使える医療デバイスとすることができる。そのような液剤移送デバイスは、作動時に薬瓶を穿刺するための穿刺部材を有する分離した液体移送部材を備えることができる。本発明の汎用薬瓶アダプタは、後で使うために、無傷の薬瓶を薬瓶解放道具によってたやすく解放でき、それによって薬剤が無駄になる可能性を避けるように構成されるのが好ましい。無傷の薬瓶は、かさばる液剤移送デバイスなしに、場合により適切な保管状態に戻すことができる。
【００１３】
本発明の別の態様は、輸液バッグの従来の注入ポートに取り付けるための汎用注入ポートコネクタを有する液剤移送デバイスを対象とする。従来の注入ポートは、注射器内容物を輸液バッグの中に針注入するための自己シールプラグの露出したプラグ表面の後ろに配置された後端の注入ポート先端リムを有する注入ポート先端を備える。汎用注入ポートコネクタは、多数の湾曲したコネクタ部材を備え、コネクタ部材は、注入ポート先端を強制的に内向きにコネクタ部材を通して挿入すると、撓んでいない位置から外向きに押され、その結果、多数の湾曲したコネクタ部材は、後端の注入ポート先端リムの後ろでスナップ止めし、それによって、注入ポート先端を汎用注入ポートコネクタから摺動させて引き抜くことを妨げる。それらの湾曲した形状のおかげで、本発明の汎用注入ポートコネクタのコネクタ部材は、直線状コネクタ部材に比べると、より大きな引き抜く力に対抗することができる。さらに、湾曲したコネクタ部材は、輸液容器の異なるサイズの注入ポート、典型的には異なる供給者の注入ポートに取り付けることを容易にする。
【００１４】
本発明を理解し、それがどのように実施できるかを理解するために、次に、好ましい実施例について、同様の部分に同様の番号を付した添付図面を参照して、単なる非限定的な例として説明する。本発明は、以下の形態としても実現可能である。
［形態１］
小型の薬瓶および大型の薬瓶の薬瓶とともに使用するための液剤移送デバイスであって、
前記薬瓶は、薬瓶ボトルと、薬瓶内部と、薬瓶ストッパと、最上部薬瓶面と、薬瓶閉鎖部と、を備え、
前記小型の薬瓶は、外径Ｄ１を有する薬瓶閉鎖部を備え、
前記大型の薬瓶は、外径Ｄ２を有する薬瓶閉鎖部を備え、
前記Ｄ１および前記Ｄ２は、Ｄ２＞Ｄ１を満たし、
前記液剤移送デバイスは、長手方向の薬瓶アダプタ軸線と、前記薬瓶閉鎖部に入れ子式に固定するためのスカートと、を有する汎用薬瓶アダプタを備え、
前記スカートは、大型の薬瓶の少なくとも頂部を、前記スカートの中に入れ子式にぴったりと受け入れるための薬瓶空洞を形成するために、
前記長手方向の薬瓶アダプタ軸線に交差する頂壁と、
離間して軸線方向に向けられた第１の対の撓み部材支持部と、
前記軸線方向に向けられた第１の対の撓み部材支持部に対向し、離間して軸線方向に向けられた第２の対の撓み部材支持部と
を備え、
前記撓み部材支持部の各々は、前記頂壁に隣接する基端と、前記頂壁から離れた先端と、を有し、
前記第１の対の撓み部材支持部は、該撓み部材支持部に対応する先端同士の間を延在する第１の横材を備え、
前記第１の横材は、前記長手方向の薬瓶アダプタ軸線に対して弾性的に撓むように前記第１の横材に取り付けられた、軸線方向に向けられた第１の撓み部材と一体的に形成され、
前記第１の撓み部材は、前記第１の横材から離れた第１の撓み部材自由端と、該第１の撓み部材自由端の方へ向かう半径方向内向きの第１の薬瓶把持部と、を有し、
前記第２の対の撓み部材支持部は、該撓み部材支持部に対応する先端同士の間を延在する第２の横材を備え、
前記第２の横材は、前記長手方向の薬瓶アダプタ軸線に対して弾性的に撓むように前記第２の横材に取り付けられた、軸線方向に向けられた第２の撓み部材と一体的に形成され、
前記第２の撓み部材は、前記横材から離れた第２の撓み部材自由端と、該第２の撓み部材自由端の方へ向かう半径方向内向きの第２の薬瓶把持部と、を有し、
前記第１の撓み部材と前記第２の撓み部材とは、前記第１の薬瓶把持部および前記第２の薬瓶把持部が該第１の薬瓶把持部と該第２の薬瓶把持部との間にＳ＜Ｄ１を満たす間隔Ｓを形成し、前記汎用薬瓶アダプタを前記薬瓶に入れ子式に固定するときに前記第１の薬瓶把持部および前記第２の薬瓶把持部が薬瓶閉鎖部の下に位置するように、対向し、
前記第１の撓み部材および前記第２の撓み部材は、前記汎用薬瓶アダプタを前記大型の薬瓶に入れ子式に固定するときには、前記汎用薬瓶アダプタを前記小型の薬瓶に入れ子式に固定する場合と比べて、前記第１の横材および前記第２の横材のところで、前記長手方向の薬瓶アダプタ軸線に対して、より大きく、対応して外向きに弾性的に撓まされる
液剤移送デバイス。
［形態２］
形態１に記載のデバイスであって、
前記スカートは、単一の連続的な環状支持部を備え、
前記環状支持部は、前記第１の横材と、前記第２の横材と、前記第１の横材と前記第２の横材との間を延在する第３の横材と、前記第１の横材と前記第２の横材との間を延在するとともに前記第３の横材に対向する第４の横材と、を備え、
前記第３の横材は、前記長手方向の薬瓶アダプタ軸線に対して弾性的に撓むように前記第３の横材に取り付けられた、軸線方向に向けられた第３の撓み部材と一体的に形成され、
前記第３の撓み部材は、前記第３の横材から離れた第３の撓み部材自由端と、該第３の撓み部材自由端の方へ向かう半径方向内向きの第３の薬瓶把持部と、を有し、
前記第４の横材は、前記長手方向の薬瓶アダプタ軸線に対して弾性的に撓むように前記第４の横材に取り付けられた、軸線方向に向けられた第４の撓み部材と一体的に形成され、
前記第４の撓み部材は、前記第４の横材から離れた第４の撓み部材自由端と、該第４の撓み部材自由端の方へ向かう半径方向内向きの第４の薬瓶把持部と、を有し、
前記第３の撓み部材と前記第４の撓み部材とは、前記第３の薬瓶把持部と前記第４の薬瓶把持部との間に前記間隔Ｓが形成され、前記汎用薬瓶アダプタを前記薬瓶に入れ子式に固定するときに前記第３の薬瓶把持部および前記第４の薬瓶把持部が前記薬瓶閉鎖部の下に位置するように、対向する
デバイス。
［形態３］
形態１または形態２に記載のデバイスであって、
前記頂面は、環状の中央部分と、前記環状の中央部分から前記撓み部材支持部の各々までの半径方向のストラットと、によって構成される
デバイス。
［形態４］
形態１ないし形態３のいずれか一項に記載のデバイスであって、
前記第１の撓み部材および前記第２の撓み部材は、
前記第１の撓み部材および前記第２の撓み部材が、前記汎用薬瓶アダプタを小型の薬瓶に入れ子式に固定するときは、前記長手方向の薬瓶アダプタ軸線に略平行となり、前記汎用薬瓶アダプタを大型の薬瓶に入れ子式に固定するときは、前記長手方向の薬瓶アダプタ軸線に対して外向きに撓むように、
前記汎用薬瓶アダプタが薬瓶に入れ子式に固定される前には、前記長手方向の薬瓶アダプタ軸線に略平行である
デバイス。
［形態５］
形態１ないし形態４のいずれか一項に記載のデバイスであって、
前記頂壁は、
一体的なアクセスポートと、
前記汎用薬瓶アダプタを前記薬瓶に入れ子式に固定するときに薬瓶ストッパを穿刺して前記薬瓶内部と流れ連通することを可能にするための、前記一体的なアクセスポートと流れ連通する一体的な穿刺部材と
を備えるデバイス。
［形態６］
形態１ないし形態４のいずれか一項に記載のデバイスであって、
前記汎用薬瓶アダプタは、事前に取り付けられた初期の無傷の薬瓶に入れ子式に固定されることができ、
前記頂壁は、前記事前に取り付けられた初期の無傷の薬瓶の前記最上部薬瓶面の上に位置する、軸線方向に向けられた管状のステムを備え、
前記液剤移送デバイスは、さらに、前記ステムに配置された穿刺先端を有する分離した液体移送部材であって、前記薬瓶内部との流れ連通を可能にするために、前記液体移送部材を前記薬瓶の方へ下方に押したときに前記薬瓶ストッパを穿刺するための液体移送部材を備える
デバイス。
［形態７］
形態６に記載のデバイスであって、
前記事前に取り付けられた無傷の薬瓶は、前記第１の撓み部材および前記第２の撓み部材を前記長手方向の薬瓶アダプタ軸線に対して外向きに撓ませるための薬瓶解放道具を使用する場合に、前記汎用薬瓶アダプタから無傷で取り外すことができる
デバイス。
［形態８］
小型の薬瓶および大型の薬瓶の薬瓶とともに使用するための液剤移送デバイスであって、
前記薬瓶は、薬瓶ボトルと、薬瓶内部と、薬瓶ストッパと、最上部薬瓶面と、薬瓶閉鎖部と、を備え、
前記小型の薬瓶は、外径Ｄ１を有する薬瓶閉鎖部を有し、
前記大型の薬瓶は、外径Ｄ２を有する薬瓶閉鎖部を有し、
前記Ｄ１およびＤ２は、Ｄ２＞Ｄ１を満たし、
前記液剤移送デバイスは、長手方向の薬瓶アダプタ軸線と、前記薬瓶に入れ子式に固定するためのスカートと、を有する汎用薬瓶アダプタを備え、
前記スカートは、前記長手方向の薬瓶アダプタ軸線に交差する頂壁を備え、
軸線方向に向けられた一組の小さい撓み部材が、小型の薬瓶の薬瓶閉鎖部に入れ子式に取り付けるために、前記頂壁から下方に垂下し、
前記軸線方向に向けられた一組の小さい撓み部材の各々は、前記頂壁から先端側の小さい撓み部材自由端を有し、
軸線方向に向けられた一組の大きい撓み部材が、大型の薬瓶の薬瓶閉鎖部に入れ子式に取り付けるために、前記頂壁から下方に垂下し、前記軸線方向に向けられた一組の小さい撓み部材を取り囲み、前記大型薬瓶の前記最上部薬瓶面は、前記小さい撓み部材自由端の下に位置する
液剤移送デバイス。
［形態９］
形態８に記載のデバイスであって、
前記軸線方向に向けられた一組の大きい撓み部材は、前記軸線方向に向けられた一組の小さい撓み部材に直交し、それによって、前記汎用薬瓶アダプタを小型の薬瓶に入れ子式に固定するときに、前記軸線方向に向けられた一組の小さい撓み部材は、前記軸線方向に向けられた一組の大きい撓み部材同士の間で、前記長手方向の薬瓶アダプタ軸線に対して外向きに撓む
デバイス。
［形態１０］
形態９に記載のデバイスであって、
前記軸線方向に向けられた一組の大きい撓み部材は、隣接する大きい撓み部材の第１の対と、隣接する大きい撓み部材の第２の対と、を備える
デバイス。
［形態１１］
形態８ないし形態１０のいずれか一項に記載のデバイスであって、
前記頂壁は、
一体的なアクセスポートと、
前記汎用薬瓶アダプタを前記薬瓶に入れ子式に固定するときに薬瓶ストッパを穿刺して前記薬瓶内部と流体連通することを可能にするための、前記一体的なアクセスポートと流れ連通する一体的な穿刺部材と
を備えるデバイス。
［形態１２］
形態８ないし形態１０のいずれか一項に記載のデバイスであって、
前記汎用薬瓶アダプタは、事前に取り付けられた初期の無傷の薬瓶に入れ子式に固定されることができ、
前記頂壁は、前記事前に取り付けられた初期の無傷の薬瓶の前記最上部薬瓶面の上に位置する、軸線方向に向けられた管状のステムを備え、
前記液剤移送デバイスは、さらに、前記ステムに配置された穿刺先端を有する分離した液体移送部材であって、前記薬瓶内部との流体連通を可能にするために、前記液体移送部材を前記薬瓶の方へ下方に押したときに前記薬瓶ストッパを穿刺するための液体移送部材を備える
デバイス。
［形態１３］
輸液を収容するとともに注入ポートを有する輸液バッグとともに使用するための液剤移送デバイスであって、
前記注入ポートは、露出したプラグ表面を有する自己シールプラグを備える注入ポート先端で終端し、
前記注入ポート先端は、後端の注入ポートリムを有し、
前記液剤移送デバイスは、長手方向のハウジング軸線を有する、端部が開口したハウジングを備え、さらに、汎用注入ポートコネクタを備え、
前記汎用注入ポートコネクタは、前記長手方向のハウジング軸線と同一方向の長手方向のコネクタ軸線と、前記長手方向のコネクタ軸線と交差する水平面を形成する閉じた支持リングと、を有し、
前記支持リングは、該支持リングに弾性的に撓むように取り付けられた多数の湾曲したコネクタ部材を有し、
コネクタ部材自由端が、前記端部が開口したハウジングの方向から前記支持リングの下に位置するコネクタ開口に向かって収束し、その結果、前記汎用注入ポートコネクタは、全体的に椀状形状をなし、
前記注入ポート先端を、前記コネクタ開口を通って前記端部が開口したハウジングの中に摺動的に強制的に挿入した際に、前記注入ポート先端が前記多数のコネクタ部材を、前記コネクタ軸線に対して撓んでいない位置から外向きに撓ませ、前記後端の注入ポートリムの後ろでスナップ止めされ、それによって、前記摺動的に強制的に挿入する方向と反対方向に、前記端部が開口したハウジングから前記注入ポート先端を外向きに摺動させて引き抜くことが妨げられるように構成された
液剤移送デバイス。
【図面の簡単な説明】
【００１５】
【図１】注射器、小型の薬瓶、大型の薬瓶、および、本発明による液剤移送デバイスの第１の好ましい実施形態の図である。
【図２】図１の液剤移送デバイスの前面斜視図である。
【図３】図１の液剤移送デバイスの後面斜視図である。
【図４Ａ】図１の液剤移送デバイスの右側立面図である。
【図４Ｂ】図１の液剤移送デバイスの、図４Ａの線Ａ−Ａに沿った縦断面図である。
【図５Ａ】図１の液剤移送デバイスの前面立面図である。
【図５Ｂ】図１の液剤移送デバイスの、図５Ａの線Ｂ−Ｂに沿った縦断面図である。
【図６】小型の薬瓶に入れ子式に固定された、図１の液剤移送デバイスの前面立面図である。
【図７】図６の組立体の線Ｃ−Ｃに沿った縦断面図である。
【図８】大型の薬瓶に入れ子式に固定された、図１の液剤移送デバイスの前面立面図である。
【図９】図８の組立体の線Ｄ−Ｄに沿った縦断面図である。
【図１０】図６の組立体から液体内容物を注射器で吸引することを示す図である。
【図１１】図８の組立体から液体内容物を注射器で吸引することを示す図である。
【図１２】本発明による液剤移送デバイスの第２の好ましい実施形態の縦断面図である。
【図１３】流れ連通位置にある、図１２の液剤移送デバイスの縦断面図である。
【図１４】本発明による液剤移送デバイスの第３の好ましい実施形態の図である。
【図１５】本発明による液剤移送デバイスの第４の好ましい実施形態および輸液容器の図である。
【図１６】図１５の液剤移送デバイスの分解図である。
【図１７Ａ】最初の作動前位置にある、図１５の液剤移送デバイスの線Ｅ−Ｅに沿った縦断面図である。
【図１７Ｂ】薬瓶を穿刺するための中間位置にある、図１５の液剤移送デバイスの線Ｅ−Ｅに沿った縦断面図である。
【図１７Ｃ】輸液容器を穿刺するための作動位置にある、図１５の液剤移送デバイスの線Ｅ−Ｅに沿った縦断面図である。
【図１８Ａ】セットアップ位置にある薬瓶解放道具の前面立面図である。
【図１８Ｂ】図１８Ａの薬瓶解放道具の線Ｆ−Ｆに沿った縦断面図である。
【図１９Ａ】薬瓶を解放するためにバイアル解放操作位置にある薬瓶解放道具の前面立面図である。
【図１９Ｂ】図１９Ａの薬瓶解放道具の線Ｇ−Ｇに沿った縦断面図である。
【図２０Ａ】事前に取り付けられた無傷の薬瓶を有する図１５の液剤移送デバイスに取り付けられた、セットアップ位置にある薬瓶解放道具の前面立面図である。
【図２０Ｂ】図２０Ａの組立体の線Ｈ−Ｈに沿った縦断面図である。
【図２１Ａ】事前に取り付けられた無傷の薬瓶を有する図１５の液剤移送デバイスに取り付けられた、バイアル解放操作位置にある薬瓶解放道具の前面立面図である。
【図２１Ｂ】図２１Ａの組立体の線Ｉ−Ｉに沿った縦断面図である。
【図２２Ａ】図１５の液剤移送デバイスに取り付けられた薬瓶解放道具、および、取り外された無傷の薬瓶の前面立面図である。
【図２２Ｂ】図２２Ａの組立体の線Ｊ−Ｊに沿った縦断面図である。
【図２３Ａ】部分的に手動で作動回転させた後の穿刺された薬瓶を有する図１５の液剤移送デバイスに取り付けられた、操作不能位置にある薬瓶解放道具の前面立面図である。
【図２３Ｂ】図２３Ａの組立体の線Ｋ−Ｋに沿った縦断面図である。
【図２４】本発明による液剤移送デバイスの第５の好ましい実施形態の前面上部から見た斜視図である。
【図２５】図２４の液剤移送デバイスの前面立面図である。
【図２６】図２４の液剤移送デバイスの右側立面図である。
【図２７】図２４の液剤移送デバイスの、図２６の線Ｌ−Ｌに沿った縦断面図である。
【図２８】小型の薬瓶に入れ子式に固定された、図２４の液剤移送デバイスの右側立面図である。
【図２９】図２８の組立体の線Ｍ−Ｍに沿った縦断面図である。
【図３０】大型の薬瓶に固定された、図２４の液剤移送デバイスの前面立面図である。
【図３１】図３０の組立体の線Ｎ−Ｎに沿った縦断面図である。
【図３２】図２８の組立体から液体内容物を注射器で吸引することを示す図である。
【図３３】図３０の組立体から液体内容物を注射器で吸引することを示す図である。
【図３４】注入ポートに取り付けるための従来の液剤移送デバイスの前面斜視図である。
【図３５】注入ポートに取り付けるための従来の注入ポートコネクタとともに配置された、図３４の液剤移送デバイスの線Ｏ−Ｏに沿った縦断面図である。
【図３６】図３５の従来の注入ポートコネクタの上面図である。
【図３７】本発明による汎用注入ポートコネクタの斜視図である。
【図３８】図３７の汎用注入ポートコネクタの線Ｐ−Ｐに沿った縦断面図である。
【図３９】いわゆる小型の注入ポートを有する輸液バッグの前面斜視図である。
【図４０】図３９の小型の注入ポートに取り付けられた図３７の汎用注入ポートコネクタを有する図３４の液剤移送デバイスの縦断面図である。
【図４１】いわゆる大型の注入ポート先端を有する輸液バッグの前面斜視図である。
【図４２】図４１の大型の注入ポートに取り付けられた図３７の汎用注入ポートコネクタを有する図３４の液剤移送デバイスの縦断面図である。
【発明を実施するための形態】
【００１６】
図１は、注射器１０、小型の薬瓶２０Ａ、大型の薬瓶２０Ｂ、ならびに、注射器１０と小型の薬瓶２０Ａおよび大型の薬瓶２０Ｂの薬瓶２０とともに使用するための、雌バイアルアダプタとして構成される液剤移送デバイス１００を示す。
【００１７】
注射器１０は、プランジャロッド１２と雄ルアーロックコネクタ１３とを有するバレル１１を備える。注射器１０は、他のタイプの雄コネクタ、例えば、スリップ式ルアーコネクタなどを使用して形成することができる。注射器１０は、典型的には希釈剤で満たされる。あるいは、注射器１０は、活性液体成分を収容することができる。
【００１８】
薬瓶２０は、長手方向の薬瓶軸線２１を有し、薬瓶基部２３を有する薬瓶本体２２と、薬瓶開口部２６を形成する薬瓶ヘッド２４と、薬瓶本体２２と薬瓶ヘッド２４との間の小直径の薬瓶ネック２７と、を備える。薬瓶２０は、粉体または液体の薬剤２９を収容するための薬瓶内部２８を有する。薬瓶２０は、薬瓶開口部２６の中に挿入される薬瓶ストッパ３１によって封止される。薬瓶ストッパ３１は、最上部薬瓶面３２を有する。薬瓶２０は、例えばアルミニウムバンドなどによって構成される薬瓶閉鎖部３３によって密封される。
【００１９】
広く市販されている小型の薬瓶２０Ａは、外径Ｄ１が１３ｍｍから１４ｍｍの間の薬瓶閉鎖部３３を有し、広く市販されている大型の薬瓶２０Ｂは、外径Ｄ２がＤ１より大きく、典型的には２０ｍｍから２１ｍｍの間の薬瓶閉鎖部３３を有する。
【００２０】
図１〜１１は、汎用薬瓶アダプタ２００Ａと、注射器の雄ルアーコネクタ１３と係合するための雌ルアーコネクタ１０１と、を備える液剤移送デバイス１００を示す。液剤移送デバイス１００は、薬瓶内部２８への流れアクセスを可能にするための、雌ルアーコネクタ１０１と流れ連通する管状の穿刺部材１０２を備える。
【００２１】
汎用薬瓶アダプタ２００Ａは、長手方向の薬瓶アダプタ軸線２０１と、スカート２０２と、を有している。スカート２０２は、薬瓶２０Ｂの少なくとも頂部を、したがって本質的には薬瓶２０Ａの頂部を、その中に入れ子式にぴったりと受け入れるための薬瓶空洞２０３を形成する。スカート２０２は、半径方向を向く２つのストラット２０７の第１の対と、半径方向を向く２つのストラット２０８の第２の対と、を有する環状の中央部分２０６によって構成される頂壁２０４を備える。環状の中央部分２０６には、直立した雌ルアーコネクタ１０１が形成される。
【００２２】
スカート２０２は、半径方向を向くストラット２０７から下方に垂下する、軸線方向を向く離間した撓み部材支持部２０９，２１１の第１の対を備える。スカート２０２は、半径方向を向くストラット２０８から下方に垂下する、軸線方向を向く離間した撓み部材支持部２１２，２１３の第２の対を備える。軸線方向を向く撓み部材支持部２０９，２１１の第１の対は、軸線方向を向く撓み部材支持部２１２，２１３の第２の対に対向する。
【００２３】
撓み部材支持部２０９は、頂壁２０４に隣接する基端２０９Ａと、そこから離れた先端２０９Ｂと、を有する。撓み部材支持部２１１は、頂壁２０４に隣接する基端２１１Ａと、そこから離れた先端２１１Ｂと、を有する。撓み部材支持部２１２は、頂壁２０４に隣接する基端２１２Ａと、そこから離れた先端２１２Ｂと、を有する。撓み部材支持部２１３は、頂壁２０４に隣接する基端２１３Ａと、そこから離れた先端２１３Ｂと、を有する。
【００２４】
スカート２０２は、単一の連続的な環状支持部２１４を備え、環状支持部２１４は、先端２０９Ｂと先端２１１Ｂとの間を延在する第１の横材２１６と、先端２１２Ｂと先端２１３Ｂとの間を延在する第２の横材２１７と、先端２０９Ｂと先端２１２Ｂとの間を延在する第３の横材２１８と、先端２１１Ｂと先端２１３Ｂとの間を延在する第４の横材２１９と、を備える。
【００２５】
スカート２０２は、第１の横材２１６に弾性的に撓むように取り付けられた軸線方向を向く第１の撓み部材２２１と、第２の横材２１７に弾性的に撓むように第１の撓み部材２２１に対向して取り付けられ、軸線方向を向く第２の撓み部材２２２と、第３の横材２１８に弾性的に撓むように第１の撓み部材２２１と第２の撓み部材２２２との間に取り付けられ、軸線方向を向く第３の撓み部材２２３と、第４の横材２１９に弾性的に撓むように第３の撓み部材２２３に対向して取り付けられ、軸線方向を向く第４の撓み部材２２４と、を備える。
【００２６】
第１の撓み部材２２１は、第１の横材２１６から離れた第１の撓み部材自由端２２１Ａと、自由端２２１Ａの方へ向かう半径方向内向きの第１の薬瓶把持部２２１Ｂと、を有する。第２の撓み部材２２２は、第２の横材２１７から離れた第２の撓み部材自由端２２２Ａと、自由端２２２Ａの方へ向かう半径方向内向きの第２の薬瓶把持部２２２Ｂと、を有する。第３の撓み部材２２３は、第３の横材２１８から離れた第３の撓み部材自由端２２３Ａと、自由端２２３Ａの方へ向かう半径方向内向きの第３の薬瓶把持部２２３Ｂと、を有する。第４の撓み部材２２４は、第４の横材２１９から離れた第４の撓み部材自由端２２４Ａと、自由端２２４Ａの方へ向かう半径方向内向きの第４の薬瓶把持部２２４Ｂをと、有する。
【００２７】
第１の薬瓶把持部２２１Ｂと第２の薬瓶把持部２２２Ｂとは、それらの間に間隔Ｓを形成する。ここで、Ｓ＜Ｄ１である。同様に、第３の薬瓶把持部２２３Ｂと第４の薬瓶把持部２２４Ｂとは、それらの間に間隔Ｓを形成する。その結果、液剤移送デバイス１００を薬瓶２０Ａに入れ子式に固定するとき、これらの把持部は薬瓶２０Ａの薬瓶閉鎖部３３の下にある。Ｄ２＞Ｄ１であるので、薬瓶把持部２２１Ｂ，２２２Ｂ，２２３Ｂ，２２４Ｂも、薬瓶２０Ｂの薬瓶閉鎖部３３の下にある。
【００２８】
撓み部材２２１，２２２，２２３，２２４は、液剤移送デバイス１００を薬瓶２０Ａに入れ子式に固定する前には、長手方向の薬瓶アダプタ軸線２０１に略平行である。液剤移送デバイス１００を薬瓶２０Ａに入れ子式に固定するとき、薬瓶閉鎖部３３が薬瓶把持部２２１Ｂ，２２２Ｂ，２２３Ｂ，２２４Ｂの下から、頂壁２０４の下で、それらの上まで通り過ぎるとき、撓み部材２２１，２２２，２２３，２２４は、それらの各横材２１６，２１７，２１８，２１９において、長手方向の薬瓶アダプタ軸線２０１に対して外向きに弾性的に撓まされ、薬瓶閉鎖部３３が薬瓶把持部２２１Ｂ，２２２Ｂ，２２３Ｂ，２２４Ｂの上まで来ると、撓み部材２２１，２２２，２２３，２２４は、図６および図７の破線で示すように、長手方向の薬瓶アダプタ軸線２０１に略平行になるように戻る。
【００２９】
液剤移送デバイス１００を薬瓶２０Ｂに入れ子式に固定する場合、撓み部材２２１，２２２，２２３，２２４は、それらの各横材２１６，２１７，２１８，２１９において、長手方向の薬瓶アダプタ軸線２０１に対して、薬瓶２０Ａに対するよりもさらに外向きに弾性的に撓まされる。それは、薬瓶２０Ｂが薬瓶２０Ａよりも薬瓶閉鎖部３３の直径が大きいことによる。薬瓶２０Ｂの場合、撓み部材２２１，２２２，２２３，２２４は、長手方向の薬瓶アダプタ軸線２０１に対して略平行になるように完全に戻ることはなく、むしろ、図８および図９の破線Ｂで示すように、もともとの撓まない位置に対して外向きに撓んだままになる。
【００３０】
図１０は、混合、復元および吸引の目的のために薬瓶２０Ａに取り付けられた液剤移送デバイス１００に取り付けられた注射器１０を示す。
【００３１】
図１１は、混合、復元および吸引の目的のために薬瓶２０Ｂに取り付けられた液剤移送デバイス１００に取り付けられた注射器１０を示す。
【００３２】
図１２および図１３は、汎用薬瓶アダプタ２００Ｂを備え、雌ルアーコネクタ１１２およびそれと流れ連通する穿刺カニューレ１１３が形成された分離した２端部液体移送部材１１１とともに使用することを意図された液剤移送デバイス１１０を示す。液剤移送デバイス１１０は、液剤移送デバイス１００と構造は同様であるが、汎用薬瓶アダプタ２００Ｂが、環状の中央部分２０６およびリテーナ構成２２６が形成された頂壁２０４を有するという点で異なる。リテーナ構成２２６は、環状の中央部分２０６の上にある作動準備のできた液体移送部材１１１を保持する。穿刺カニューレ１１３は、保管中の無菌状態を維持し、薬瓶２０とともに使用するシール部材として使用するためのシース１１４によって覆われる。液剤移送デバイス１１０は、液体移送部材１１１を押し下げてその後の作動をする準備のできた薬瓶２０に入れ子式に取り付けることができる。
【００３３】
図１４は、本願出願人が所有する、Ｚｉｎｇｅｒらに付与された米国特許第６，２３８，３７２号で開示された液剤移送デバイス１２０を示す。この液剤移送デバイス１２０は、流体制御デバイス１２１と、それとネジ係合する汎用薬瓶アダプタ２００Ｃと、を備える。
【００３４】
図１５〜図１７は、ＩＶバッグとして例示的に示す輸液容器４０とともに使用する液剤移送デバイス１３０を示す。ＩＶバッグ４０は、注入ポート４１と、投与ポート４２と、液体内容物４３と、を備える。ＩＶバッグのポート４１，４２は、プラスチック製チューブの形態である。注入ポート４１は、注射器内容物をＩＶバッグ４０の中に針注入するように意図された露出したプラグ表面４７を有する自己シールプラグ４６を備える注入ポート先端４４で終端する。注入ポート先端４４は、後端の注入ポート先端リム４８を有する。投与ポート４２は、典型的には、投与目的でＩＶスパイクを挿入するためのツイストオフキャップ４９によって封止される。
【００３５】
液剤移送デバイス１３０は、長手方向の液剤移送デバイス軸線１３１を有し、注入ポートアダプタ１３２と、２端部液体移送部材１３３と、汎用薬瓶アダプタ２００Ｄと、を備える。注入ポートアダプタ１３２は、注入ポート４１に取り付けるための汎用注入ポートコネクタ２５０を備えることが好ましい。液体移送部材１３３は、注入ポート４１を穿刺するための針１３４を備え、薬瓶ストッパ３１を穿刺するための穿刺先端１３６で終端する。針１３４はシース１３４Ａによって保護され、穿刺先端１３６はシース１３６Ａによって保護される。
【００３６】
液体移送部材１３３には、先端のドリル状ビット１３７と、後端の１対の外向きピン１３８と、が形成される。汎用薬瓶アダプタ２００Ｄは、環状の中央部分２０６に軸方向を向く管状のステム２２７が形成された頂壁２０４を有するという点で、汎用薬瓶アダプタ２００Ａと異なる。ステム２２７は、半径方向外向きの１対のピン１３８と対応して係合するための１対の対向する略螺旋状のトラック２２８を有する。トラック２２８は、それぞれ、頂壁２０４から離れたトラック始端２２８Ａと、頂壁２０４に隣接するトラック終端２２８Ｂと、を有する。
【００３７】
ドリル状ビット１３７は、先端のストッパ１３９Ａと、後端のストッパ１３９Ｂと、を有する。注入ポートアダプタ１３２は、半径方向内向きの先端のフランジ１４２Ａと、内向きの後端のフランジ１４２Ｂと、が形成された内表面１４１を有する。
【００３８】
図１７Ａは、先端のストッパ１３９Ａが液剤移送デバイス１３０の最初の作動前位置で先端のフランジ１４２Ａに配置されているのを示す。穿刺先端１３６は、無傷の薬瓶２０がその後の使用のために汎用薬瓶アダプタ２００Ｄ内に入れ子式に固定され得るように、頂壁２０４の上方に、または、頂壁２０４のところに配置される。薬瓶を汎用薬瓶アダプタ２００Ｄ内に入れ子式に取り付けるときは、穿刺先端１３６は、その最上部薬瓶面３２から離間されている。液剤移送デバイス１３０の高さは、最初の作動前位置では、Ｈ１である。
【００３９】
図１７Ｂは、図１５の矢印Ａで示されるように、始めに汎用薬瓶アダプタ２００Ｄを長手方向軸線１３１の周りを時計回りに締める方向に手動で作動回転させ、これにより、汎用薬瓶アダプタ２００Ｄが、外向きのピン１３８がトラック終端２２８Ｂのところで止まるまで、液体移送部材１３３に沿って移動することを示す。この直線的な動きによって、穿刺先端１３６は、前もって固定した薬瓶２０の薬瓶ストッパ３１を貫通して薬瓶内部２８の中に穿刺し、薬瓶内部２８との流れ連通を確立する。液剤移送デバイス１３０の高さは、その薬瓶穿刺中間位置ではＨ２であり、Ｈ２＜Ｈ１である。
【００４０】
図１７Ｃは、汎用薬瓶アダプタ２００Ｄを同じ時計回りに締める方向に連続して手動で作動回転させ、これにより、後端の止め部１４１Ｂが後端のフランジ１４２に当たって止まるまで、液体移送部材１３３と汎用薬瓶アダプタ２００Ｄとが組み合わさって動く。この直線的な動きによって、針１３４が汎用注入ポートコネクタ２５０の方へ押されて注入ポート４１を穿刺し、それによって、輸液容器４０と薬瓶２０との間での流れ連通を確立する。液剤移送デバイス１３０の高さは、輸液容器を穿刺するように作動される位置のＨ３であり、Ｈ３＜Ｈ２である。
【００４１】
液剤移送デバイス１３０は、事前に取り付けられた無傷の薬瓶２０とともに提供されることが好ましい。液剤移送デバイス１３０は、オプションとして、輸液容器４０に事前に取り付けることができる。したがって、使用者は、輸液容器と薬瓶との間での流れ連通を確立するために、１度の手動での作動回転を実行するだけでよい。
【００４２】
図１８〜図２３は、無傷の薬瓶２０を、最初のセットアップ状態の液剤移送デバイス１３０から、手動での作動回転を受けてしまう前に外すための薬瓶解放道具３００を示す。薬瓶解放道具３００の構造および操作は、薬瓶２０Ｂを参照して示されるが、これは薬瓶２０Ａにも同じく適用される。
【００４３】
薬瓶解放道具３００は、長手方向の道具軸線３０１を有し、また、頂部が開口したハウジング３０２を備える。ハウジング３０２は、周壁３０３、底壁３０４および頂部リム３０６を有する。ハウジング３０２は、事前に取り付けられた無傷の薬瓶２０とともに汎用薬瓶アダプタ２００Ｄを摺動的に受け入れるように意図されている。周壁３０３は、等間隔に配置され下方に垂下する４つの撓み部材支持部２０９，２１１，２１２，２１３を摺動的に受け入れるための長手方向を向いた４つのスロット３０８を有する内表面３０７を有しており、薬瓶解放道具３００内の汎用薬瓶アダプタ２００Ｄの正しい回転位置決めを確実にする。長手方向を向いたスロット３０８には、それぞれ、ストッパ３０９が形成されており、無傷の薬瓶２０が底壁３０４の内側の上方の高さＨ４になるように、汎用薬瓶アダプタ２００Ｄが薬瓶解放道具３００の中に摺動的に挿入されるのを止める（図２０Ｂ参照）。液剤移送デバイス１３０を手動で作動回転する場合、穿刺された薬瓶が底壁３０４の上方の高さＨ５のところにある図２３Ａおよび図２３Ｂに示すように、汎用薬瓶アダプタ１３２は、汎用薬瓶アダプタ２００Ｄが薬瓶解放道具３００の中に完全に挿入されるのを防ぐ。
【００４４】
ハウジング３０２には、長手方向を向いた長方形の４つの開口３１１が形成されている。開口３１１は、汎用薬瓶アダプタ２００Ｄをハウジング３０２の中に摺動的に挿入すると、弾性的に撓むことが可能な上方に立ち上がった４つの撓み部材２２１，２２２，２２３，２２４と位置合わせされる。薬瓶解放道具３００は、ハウジング３０２を取り囲む環状のレール３１２を備える。レール３１２は、それぞれが解放部材リム３１４を有する４つの枢動解放部材３１３を支持する。解放部材３１３は、汎用薬瓶アダプタ２００Ｄをハウジング３０２の中へ自由に摺動的に挿入できるセットアップ位置を有する（図２０Ａおよび図２０Ｂ参照）。解放部材３１３は、それらの解放部材リム３１４が、頂壁２０４と、撓むことが可能な撓み部材２２１，２２２，２２３，２２４と、の間の間隔に配置されるように、作動位置に操作することができる（図２１Ａおよび図２１Ｂ参照）。解放部材３１３は、撓み部材２２１，２２２，２２３，２２４を長手方向の道具軸線３０１に対して外向き撓ませるように手動で操作され、それによって、薬瓶２０が解放されて底壁３０４上に落ちる（図２２Ａおよび図２２Ｂ参照）。
【００４５】
図２３Ａおよび図２３Ｂは、液剤移送デバイス１３０が薬瓶２０に穿刺するように部分的に作動させられた場合を示し、この場合、汎用薬瓶アダプタ２００Ｄは、薬瓶解放道具３００へ挿入すると、頂部リム３０６上で止まり、解放部材３１３は、頂壁２０４と撓み部材２２１，２２２，２２３，２２４との間の間隔に整合しておらず、むしろ、解放部材先端３１４は、撓み部材２２１，２２２，２２３，２２４に直接的に面しており、したがって、穿刺された薬瓶２０を解放するようには操作できない。
【００４６】
図２４〜３３は、注射器１０と、小型の薬瓶２０Ａおよび大型の薬瓶２０Ｂの薬瓶と、ともに使用するための液剤移送デバイス１５０を示す。液剤移送デバイス１５０は、汎用薬瓶アダプタ２００Ｅと、雌ルアーコネクタ１０１と、雌ルアーコネクタ１０１と流れ連通する管状の穿刺部材１０２と、を備えるとともに、薬瓶内部２８に流れアクセスを可能にするという点で液剤移送デバイス１００と同様である。汎用薬瓶アダプタ２００Ｅは、長手方向の薬瓶アダプタ軸線２０１と、スカート２０２と、薬瓶２０Ｂの少なくとも頂部を（したがって本質的に薬瓶２０Ａの頂部を）その中に入れ子式にぴったりと受け入れるための薬瓶空洞２０３と、長手方向の薬瓶アダプタ軸線２０１と交差（例えば、直交）する方向の頂壁２０４と、を有するという点で汎用薬瓶アダプタ２００Ａと同様である。
【００４７】
穿刺部材１０２は、１対の細長い流れ開口１５１を有する。流れ開口１５１の各々は、頂壁２０４に隣接する基端１５２Ａと、穿刺先端１５３に隣接する先端１５２Ｂと、を有する。基端１５２Ａは、液剤移送デバイス１５０と薬瓶２０Ａとの組立体を逆さまにするときに、薬瓶２０Ａの液体内容物全部をそこから確実に吸引することができるように、頂壁２０４に隣接する。先端１５２Ｂは、液剤移送デバイス１５０と薬瓶２０Ｂとの組立体において、穿刺部材１０２が、薬瓶２０Ｂの薬瓶内部２８と確実に流れ連通するように穿刺先端１５３に隣接する。
【００４８】
液剤移送デバイス１５０は、穿刺部材１０２を覆う薄いシース１５４を備える。シース１５４は、薬瓶２０Ａおよび薬瓶２０Ｂに液剤移送デバイス１５０を取り付けるときに、頂壁２０４の方へ押される。前者の場合、シース１５４が、頂壁２０４と、薬瓶２０Ａの最上部薬瓶面３２と、の間で平坦になることが、図２９に示される。後者の場合、シース１５４が、頂壁２０４と、薬瓶２０Ｂの最上部薬瓶面３２と、の間で蛇腹状の外観をとることが、図３１に示される。シース１５４は、頂壁２０４と、薬瓶２０Ｂの最上部薬瓶面３２と、の間に露出する細長い流れ開口１５１の基端１５２Ａをシールするためのシール部材として作用する。
【００４９】
スカート２０２は、薬瓶２０Ａの薬瓶ヘッドに入れ子式に固定するための一組の小さい撓み部材２３０を備える。一組の小さい撓み部材２３０は、薬瓶２０Ａの薬瓶ヘッド２４に入れ子式に固定するための１対の対向する小さい撓み部材２３１Ａ，２３１Ｂを備える。小さい撓み部材２３１は、それぞれ、頂壁２０４から見て先端側の小さい撓み部材自由端２３２Ａ，２３２Ｂと、薬瓶２０Ａの薬瓶ヘッド２４にスナップ嵌めするための内側を向くリム２３３Ａ，２３３Ｂと、を有する。
【００５０】
スカート２０２は、薬瓶２０Ｂの薬瓶閉鎖部３３に入れ子式に固定するための一組の大きい撓み部材２３４を備える。一組の大きい撓み部材２３４は、隣接する第１の対の大きい撓み部材２３６Ａ，２３６Ｂと、隣接する第１の対の大きい撓み部材２３６Ａ，２３６Ｂに対向する隣接する第２の対の大きい撓み部材２３７Ａ，２３７Ｂと、を備える。一組の大きい撓み部材２３４は、薬瓶２０Ｂの薬瓶閉鎖部３３の周囲の２つの対向する主要長さを確実に固定するために、隣接する大きい撓み部材の対２３６，２３７を備える。
【００５１】
大きい撓み部材２３６，２３７には、それぞれ、長手方向を向く窓２３８と、薬瓶２０Ｂの薬瓶閉鎖部３３をスナップ嵌めするための内側を向くリム２３９と、が形成される。大きい撓み部材２３６Ａ，２３７Ａは、それらの間に間隔２４１Ａを残すように離間される。大きい撓み部材２３６Ｂ，２３７Ｂは、それらの間に間隔２４１Ｂを残すように離間される。小さい撓み部材２３１は、間隔２４１に位置合わせされ、それにより、液剤移送デバイス１５０を薬瓶２０Ａに入れ子式に固定するときに、小さい撓み部材２３１は、長手方向の薬瓶アダプタ軸線２０１に対して外向きに撓むことを、大きい撓み部材２３６，２３７によって妨げられない。
【００５２】
図２８および図２９は、薬瓶２０Ａに取り付けられた液剤移送デバイス１５０を示す。穿刺部材１０２は、基端１５２Ａがその薬瓶内部２８の中にあるように、その薬瓶ストッパ３１を貫通して完全に穿刺する。
【００５３】
図３０および図３１は、薬瓶２０Ｂに取り付けられた液剤移送デバイス１５０を示す。一組の小さい撓み部材２３０は、薬瓶２０Ｂを頂壁２０４から遠ざけるための当接部材として作用し、その際、薬瓶２０Ｂの最上部薬瓶面３２は、小さい撓み部材の自由端２３２Ａ，２３２Ｂの下にある。
【００５４】
穿刺部材１０２の頂部部分は、頂壁２０４と、薬瓶の最上部薬瓶面３２と、の間で露出されたままである。シース１５４は、頂壁２０４と、薬瓶２０Ｂの最上部薬瓶面３２と、の間で蛇腹状の外観をなし、細長い流れ開口１５１の露出した長さに対してシール部材として作用する。
【００５５】
図３２は、混合、復元および吸引の目的のために薬瓶２０Ａに取り付けられた液剤移送デバイス１５０に取り付けられた注射器１０を示す。
【００５６】
図３３は、混合、復元および吸引の目的のために薬瓶２０Ｂに取り付けられた液剤移送デバイス１５０に取り付けられた注射器１０を示す。
【００５７】
図３４は、注入ポート先端４４を有する特定のサイズの注入ポート４１に取り付けるための注入ポートコネクタ２３０を備える液剤移送デバイス１６０を示す。注入ポート先端４４は、自己シールプラグ４６と、露出したプラグ表面４７と、後端の注入ポート先端リム４８と、を有する。この液剤移送デバイスは、ＶＩＡＬ−ＭＡＴＥ  Ａｄａｐｔｏｒ  Ｄｅｖｉｃｅという商品名でＢａｘｔｅｒ  Ｈｅａｌｔｈｃａｒｅ  Ｃｏｒｐｏｒａｔｉｏｎから市販されている。製品シートは、ウェブサイトｈｔｔｐ：／／ｗｗｗ．ｂａｘｔｅｒｍｅｄｉｃａｔｉｏｎｄｅｌｉｖｅｒｙｐｒｏｄｕｃｔｓ．ｃｏｍ／ｄｒｕｇ−ｄｅｌｉｖｅｒｙ／ｖｉａｌｍａｔｅ．ｈｔｍｌからオンラインで入手できる。
【００５８】
製品仕様書では、ＶＩＡＬ−ＭＡＴＥ  Ａｄａｐｔｏｒ  Ｄｅｖｉｃｅは、２０ｍｍの閉鎖部を有する単数回投与バイアルおよび同じくＢａｘｔｅｒ  Ｈｅａｌｔｈｃａｒｅ  Ｃｏｒｐｏｒａｔｉｏｎから入手できるＶＩＡＦＬＥＸ  ｃｏｎｔａｉｎｅｒに対してのみ適していることが表示されている。
【００５９】
図３５は、液剤移送デバイス１６０が、長手方向のハウジング軸線１６２と、アクセス開口１６３と、バイアルアダプタ１６４と、を有する端部が開口したハウジング１６１を備えることを示す。端部が開口したハウジング１６１は、注入ポート４１を穿刺するための針１６６と、バイアルアダプタ１６４の中に下方に垂下して針１６６と流れ連通する穿刺部材１６７と、を備える。
【００６０】
図３６は、アクセス開口１６３に向けて、端部が開口したハウジング１６１内に配置された、従来の注入ポートコネクタ２３０を示す。注入ポートコネクタ２３０は、長手方向のハウジング軸線１６２と同軸に整合する長手方向のコネクタ軸線２３１を備える。注入ポートコネクタ２３０は、長手方向のハウジング軸線１６２に直交する水平面２３３を形成する円形の支持リング２３２を備える。支持リング２３２は、長手方向のハウジング軸線１６２に向かって配置されたコネクタ部材の自由端２３６でそれぞれが終端する多数の真直ぐなコネクタ部材２３４を備える。コネクタ部材の自由端２３６は、収束して、水平面２３３の下にある略円形のコネクタ開口２３７を形成する。コネクタ開口２３７は、コネクタ開口直径Ｄ４を有し、Ｄ４＜Ｄ３である。
【００６１】
液剤移送デバイス１６０は、アクセス開口１６３の方向からバイアルアダプタ１６４の方へ特定のサイズの注入ポート４１を摺動的に強制的に挿入して、コネクタ開口２３７を貫通し、コネクタ部材の自由端２３６が後端の注入ポート先端リム４８の後ろでスナップ止めするように構成される。しかしながら、注入ポート４１は、望ましくないことに、長手方向外向きの比較的小さい引き抜く力をアクセス開口１６３の方向へ加えると、端部が開口したハウジング１６１からたやすく引き抜くことができる。
【００６２】
図３７および図３８は、様々なサイズの注入ポート４１を取り付けるための汎用注入ポートコネクタ２５０を示す。汎用注入ポートコネクタ２５０は、以下のように、注入ポートコネクタ２３０と同じ基本構造を有する。汎用注入ポートコネクタ２５０は、長手方向の軸線２５１と、水平面２５３を形成する閉じた支持リング２５２と、それぞれが弾性的に撓むように支持リング２５２に取り付けられ、水平面２５３に平行なコネクタ開口２５７に向かって収束するコネクタ部材の自由端２５６で終端する多数のコネクタ部材２５４と、を有する。閉じた支持リング２５２は、円形が好ましいが、例えば、楕円などの他の閉じた形状で形成することもできる。
【００６３】
汎用注入ポートコネクタ２５０は、以下の点で従来の注入ポートコネクタ２３０と異なる。すなわち、後者の真直ぐなコネクタ部材２３４とは対照的に、前者は湾曲したコネクタ部材２５４を有し、その結果、汎用注入ポートコネクタ２５０は、全体的に椀状の形状をなす。コネクタ開口２５７は、コネクタ開口直径Ｄ５を有し、Ｄ５＜Ｄ３であり、その結果、注入ポート先端４４を支持リング２５２の方向から摺動的に強制的に挿入して、コネクタ開口２５７を貫通させ、コネクタ部材２５４を、長手方向のコネクタ軸線２５１に対して撓んでいない位置から外向きに撓ませ、後端の注入ポートリム４８の後ろでスナップ止めし、それによって、注入ポート先端４４を摺動的に強制的に挿入した方向と反対方向に摺動させて引き抜くことが妨げられる。コネクタ部材２５４の湾曲した形状のおかげで、汎用注入ポートコネクタ２５０は、様々なサイズの注入ポート４１に取り付けることができる。さらに、湾曲したコネクタ部材２５４のおかげで、汎用注入ポートコネクタ２５０は、従来の注入ポートコネクタ２３０よりも長手方向外向きに引き抜く力に抵抗することがより可能になる。
【００６４】
図３９は、いわゆる小型の注入ポート４１Ａを有する輸液バッグ４０Ａを示す。注入ポート４１Ａは、自己シールプラグ４６Ａと、露出したプラグ表面４７Ａと、後端の注入ポート先端リム４８と、を有する注入ポート先端４４Ａを備える。注入ポート４１Ａは外径Ｄ１１を有する。注入ポート先端４４Ａは、先端外径Ｄ１２および先端高さＨ１１を有する。後端の注入ポート先端リム４８Ａは、外径Ｄ１３を有する。Ｄ１１は６．５ｍｍであり、Ｄ１２は７．５ｍｍであり、Ｈ１１は７．５ｍｍであり、Ｄ１３は１０．５ｍｍである。
【００６５】
図４０は、小型の注入ポート４１Ａに取り付けられた汎用注入ポートコネクタ２５０を有する液剤移送デバイス１６０を示す。
【００６６】
図４１は、小型の注入ポート４１Ａと同じ構造であるが寸法が下記のようにより大きい、いわゆる大型の注入ポート４１Ｂを有する輸液バッグ４０Ｂを示す。注入ポート４１Ｂは外径Ｄ２１を有する。注入ポート先端４４Ｂは、先端外径Ｄ２２および先端高さＨ２１を有する。後端の注入ポート先端リム４８Ｂは、外径Ｄ２３を有する。Ｄ２１は１０．５ｍｍであり、Ｄ２２は１０．５ｍｍであり、Ｈ２１は１０ｍｍであり、Ｄ２３は１３ｍｍである。
【００６７】
図４２は、大型の注入ポート４１Ｂに取り付けられた汎用注入ポートコネクタ２５０を有する液剤移送デバイス１６０を示す。注入ポート４１Ｂが、注入ポート４１Ａの注入ポート直径Ｄ１１よりも大きな注入ポート直径Ｄ２１を有しているので、コネクタ部材２５４は、液剤移送デバイス１６０を注入ポート４１Ｂに取り付けた時の方が、注入ポート４１Ａに取り付けた時よりも傾斜が急である。
【００６８】
本発明を限られた数の実施例に関して説明したが、本発明の多くの変形、変更および他の用途が、添付の特許請求の範囲内で可能であることが理解されよう。
【符号の説明】
【００６９】
１０…注射器
１１…バレル
１２…プランジャロッド
１３…雄ルアーロックコネクタ
２０，２０Ａ，２０Ｂ…薬瓶
２１…薬瓶軸線
２２…薬瓶本体
２３…薬瓶基部
２４…薬瓶ヘッド
２６…薬瓶開口部
２７…薬瓶ネック
２８…薬瓶内部
２９…薬剤
３１…薬瓶ストッパ
３２…最上部薬瓶面
３３…薬瓶閉鎖部
４０…輸液容器
４０Ａ，４０Ｂ…輸液バッグ
４１，４１Ａ，４１Ｂ…注入ポート
４２…投与ポート
４３…液体内容物
４４，４４Ａ，４４Ｂ…注入ポート先端
４６，４６Ａ…自己シールプラグ
４７，４７Ａ…プラグ表面
４８，４８Ａ，４８Ｂ…注入ポート先端リム
４９…ツイストオフキャップ
１００…液剤移送デバイス
１０１…雌ルアーコネクタ
１０２…穿刺部材
１１０…液剤移送デバイス
１１１…液体移送部材
１１２…雌ルアーコネクタ
１１３…穿刺カニューレ
１１４…シース
１２０…液剤移送デバイス
１２１…流体制御デバイス
１３０…液剤移送デバイス
１３１…液剤移送デバイス軸線
１３２…注入ポートアダプタ
１３３…液体移送部材
１３４…針
１３６…穿刺先端
１３７…ドリル状ビット
１３８…ピン
１３９Ａ，１３９Ｂ…ストッパ
１４１…内表面
１４２，１４２Ａ，１４２Ｂ…フランジ
１５０…液剤移送デバイス
１５１…開口
１５２Ａ…基端
１５２Ｂ…先端
１５３…穿刺先端
１５４…シース
１６０…液剤移送デバイス
１６１…ハウジング
１６２…ハウジング軸線
１６３…アクセス開口
１６４…バイアルアダプタ
１６６…針
１６７…穿刺部材
２００Ａ，２００Ｂ，２００Ｃ，２００Ｄ，２００Ｅ…汎用薬瓶アダプタ
２０１…薬瓶アダプタ軸線
２０２…スカート
２０３…薬瓶空洞
２０４…頂壁
２０６…中央部分
２０７，２０８…ストラット
２０９…撓み部材支持部
２０９Ａ…基端
２０９Ｂ…先端
２１１，２１２，２１３…撓み部材支持部
２１１Ａ，２１２Ａ，２１３Ａ…基端
２１１Ｂ，２１２Ｂ，２１３Ｂ…先端
２１４…環状支持部
２１６，２１７，２１８，２１９…横材
２２１，２２２，２２３，２２４…撓み部材
２２１Ａ，２２２Ａ，２２３Ａ，２２４Ａ…撓み部材自由端
２２１Ｂ，２２２Ｂ，２２３Ｂ，２２４Ｂ…薬瓶把持部
２２６…リテーナ構成
２２７…ステム
２２８…トラック
２３０，２３１，２３１Ａ，２３１Ｂ…小さい撓み部材
２３０…注入ポートコネクタ
２３１…コネクタ軸線
２３２…支持リング
２３２Ａ，２３２Ｂ…小さい撓み部材自由端
２３３…水平面
２３３Ａ，２３３Ｂ…リム
２３４，２３６，２３７，２３６Ａ，２３６Ｂ，２３７Ａ，２３７Ｂ…大きい撓み部材
２３８…窓
２３９…リム
２４１，２４１Ａ，２４１Ｂ…間隔
２５０…汎用注入ポートコネクタ
２５１…コネクタ軸線
２５２…支持リング
２５３…水平面
２５４…コネクタ部材
２５６…自由端
２５７…コネクタ開口
３００…薬瓶解放道具
３０１…道具軸線
３０２…ハウジング
３０３…周壁
３０４…底壁
３０６…頂部リム
３０７…内表面
３０８…スロット
３０９…ストッパ
３１１…開口
３１２…レール
３１３…解放部材
３１４…解放部材リム
【図１】
0005837263.tif 000002
【図２】
0005837263.tif 000003
【図３】
0005837263.tif 000004
【図４Ａ】
0005837263.tif 000005
【図４Ｂ】
0005837263.tif 000006
【図５Ａ】
0005837263.tif 000007
【図５Ｂ】
0005837263.tif 000008
【図６】
0005837263.tif 000009
【図７】
0005837263.tif 000010
【図８】
0005837263.tif 000011
【図９】
0005837263.tif 000012
【図１０】
0005837263.tif 000013
【図１１】
0005837263.tif 000014
【図１２】
0005837263.tif 000015
【図１３】
0005837263.tif 000016
【図１４】
0005837263.tif 000017
【図１５】
0005837263.tif 000018
【図１６】
0005837263.tif 000019
【図１７Ａ−１７Ｃ】
0005837263.tif 000020
【図１８Ａ】
0005837263.tif 000021
【図１８Ｂ】
0005837263.tif 000022
【図１９Ａ】
0005837263.tif 000023
【図１９Ｂ】
0005837263.tif 000024
【図２０Ａ】
0005837263.tif 000025
【図２０Ｂ】
0005837263.tif 000026
【図２１Ａ】
0005837263.tif 000027
【図２１Ｂ】
0005837263.tif 000028
【図２２Ａ】
0005837263.tif 000029
【図２２Ｂ】
0005837263.tif 000030
【図２３Ａ】
0005837263.tif 000031
【図２３Ｂ】
0005837263.tif 000032
【図２４】
0005837263.tif 000033
【図２５】
0005837263.tif 000034
【図２６】
0005837263.tif 000035
【図２７】
0005837263.tif 000036
【図２８】
0005837263.tif 000037
【図２９】
0005837263.tif 000038
【図３０】
0005837263.tif 000039
【図３１】
0005837263.tif 000040
【図３２】
0005837263.tif 000041
【図３３】
0005837263.tif 000042
【図３４】
0005837263.tif 000043
【図３５】
0005837263.tif 000044
【図３６】
0005837263.tif 000045
【図３７】
0005837263.tif 000046
【図３８】
0005837263.tif 000047
【図３９】
0005837263.tif 000048
【図４０】
0005837263.tif 000049
【図４１】
0005837263.tif 000050
【図４２】
0005837263.tif 000051